(57)【要約】【課題】水流が磁力線を垂直に横切るようにするため、複数の磁石柱を水路中に収容していたが、複数の柱状磁石は、水路の断面積を狭め、圧力損失が大きいものとなっていた。【解決手段】磁性筒体１０内に磁石柱１３を一本収容することで、柱状磁石１３から磁性筒体１０の内壁に向かって発せられる磁力線は軸線方向に垂直となる。一方、水流の方向は軸線方向と平行となる。従って、磁力線に対して水流は垂直に横切ることとなるため、活水効果が高くなる。さらに、複数の磁石柱を収容させることを要しないため、圧力損失は少ないものとすることができる。【選択図】  図２
2004351374.tif 000002
【特許請求の範囲】
【請求項１】
軸方向の両端に磁極を有する磁石柱と、この磁石柱よりも大径の磁性体からなり同磁石柱の端面に配設される磁性板とで形成される一体の柱状磁石と、
上記磁性板を所定の距離を隔てて周状に取り囲む磁性部材とを具備することとを特徴とする活水処理装置
【請求項２】
上記磁性部材は、リング状であるとともに、上記磁性板と軸方向の位置を合わせて配置されることを特徴とする請求項１に記載の活水処理装置
【請求項３】
上記磁性部材は、略筒状であることを特徴とする請求項１に記載の活水処理装置
【請求項４】
上記筒状の磁性部材は、複数の磁性を有する面材を組み付けることにより形成されることを特徴とする請求項３に記載の活水処理装置。
【請求項５】
上記柱状磁石は、軸方向の両外側に入出水口を有する筒体に宙づり状に収容されることを特徴とする請求項１〜請求項４のいずれかに記載の活水処理装置。
【請求項６】
上記磁性体は、上記筒体の内部に配設されることを特徴とする請求項１〜請求項５のいずれかに記載の活水処理装置。
【請求項７】
上記筒体は、非磁性体であるとともに、上記磁性体は、上記筒体の外部に配設されることを特徴とする請求項１〜請求項５のいずれかに記載の活水処理装置
【請求項８】
上記磁性体は、軸方向の両外側に入出水口を有する磁性筒体であるとともに、上記磁石柱は、当該磁性筒体に宙づり状に収容されることを特徴とする請求項１〜請求項５のいずれかに記載の活水処理装置。
【請求項９】
上記磁石柱、上記磁性板、上記磁性部材、上記入出水口および上記筒体は、軸方向から見て円形形状となっているとともに、その中心を一致させていることを特徴とする請求項７〜請求項８のいずれかに記載の活水処理装置。
【請求項１０】
上記柱状磁石の軸方向端面には、略錘状部材が軸方向外側に向かって先細となる方向で取り付けられていることを特徴とする請求項１から請求項９のいずれかに記載の活水処理装置。
【請求項１１】
上記磁石柱は、上記磁石柱の周囲に取り付けることで、上記磁性板と同径となる非磁性カバー部材が取り付けられることを特徴とする請求項１から請求項１０のいずれかに記載の活水処理装置。
【請求項１２】
上記柱状磁石は、同柱状磁石の軸方向出水口側端部にて上記筒体ないしは上記磁性筒体に宙づり状に片持ち支持されていることを特徴とする請求項７〜請求項１１のいずれかに記載の活水処理装置。
【請求項１３】
上記磁性部材は、磁化していることを特徴とする請求項１〜請求項１２のいずれかに記載の活水処理装置。
【発明の詳細な説明】
【０００１】
【発明の属する技術分野】
本発明は、水を活性化させる活水処理装置に関し、例えば、水道水、工業用水、空調管の冷温水や冷却水、風呂、温泉などの広範囲の水などに適用可能な活水処理装置に関する。
【０００２】
【従来の技術】
従来、水流が磁力線を横切るようにするため、複数の磁石柱を水路中に収容していた（例えば、特許文献１、特許文献２。）。
【特許文献１】
特開平１０−１６５９５８号
【特許文献２】
特開平１０−３１４７４９号
【０００３】
【発明が解決しようとする課題】
上述した従来の活水処理装置においては、次のような課題があった。
複数の柱状磁石が必要となり、水路の断面積を狭めるため圧力損失が大きい。
【０００４】
本発明は、上記課題にかんがみてなされたもので、装置内での圧力損失が少ない活水処理装置の提供を目的とする。
【０００５】
【課題を解決するための手段】
上記目的を達成するため、請求項１にかかる発明は、軸方向の両端に磁極を有する磁石柱と、この磁石柱よりも大径の磁性体からなり同磁石柱の端面に配設される磁性板とで形成される一体の柱状磁石と、上記磁性板を所定の距離を隔てて周状に取り囲む磁性部材とを具備する成としてある。
上記のように構成した請求項１にかかる発明においては、軸方向の両端に磁極を有する磁石柱の端面に、この磁石柱よりも大径の磁性体からなる磁性板を配設することにより、磁性板の端面が磁極となる一体の柱状磁石を形成する。また、上記磁性板を取り囲む様に上記磁性部材が配設されるため、上記磁性板の端面と上記磁性部材との間を磁力線が走査することとなる。従って、複数の柱状磁石を具備することなく上記磁性板の端面と上記磁性部材との間を流れる水に活水効果を及ぼすことが可能となる。
【０００６】
また、上記磁性部材の形状の一例として、請求項２にかかる発明は、上記磁性部材は、リング状であるとともに、上記磁性板と軸方向の位置を合わせて配置される構成としてある。
上記のように構成した請求項２にかかる発明においては、上記磁性板と軸方向の位置を一致させて、上記磁性部材が配設される。すなわち、上記磁性板の端面と上記磁性部材との間に、軸方向と垂直な磁力線を走査させることができる。
【０００７】
さらに、上記磁性部材の形状の一例として、請求項３にかかる発明は、上記磁性部材は、略筒状である構成としてある。
上記のように構成した請求項３にかかる発明においては、上記磁性板を筒状の磁性部材が取り囲む。すなわち、軸方向に厚みを有する筒状としてあることで一体の磁性部材で複数の上記磁性板を取り囲むことができるため部材数が少なくて済む。
【０００８】
さらに、請求項４にかかる発明は、上記筒状の磁性部材は、複数の磁性を有する面材を組み付けることにより形成される構成としてある。
上記のように構成した請求項４にかかる発明においては、複数の磁性を有する面材を組み付けることにより一体の上記筒状の磁性部材が形成される。すなわち、上記筒状の磁性部材は一体成型されることを要しない。
【０００９】
また、請求項５にかかる発明は、上記柱状磁石は、軸方向の両外側に入出水口を有する筒体に宙づり状に収容される構成としてある。
上記のように構成した請求項５にかかる発明においては、上記筒体の軸方向の一端に設けられた上記入水口から進入した水は、上記出水口に向かって流水する。すなわち、上記柱状磁石の軸方向と略水平に水流させることができる。さらに、軸方向に垂直な磁力線に対しては垂直に水流させることができるため、活水処理が効率化する。また、宙づり状とすることで水路が確保されるため、圧力損失が少なくて済む。
【００１０】
さらに、請求項６にかかる発明は、上記磁性体は、上記筒体の内部に配設される構成としてある。
上記のように構成した請求項６の発明においては、上記筒体の内部に上記磁性体が配設される。すなわち、全体が上記筒体に収容されることとなるため、設置等の取り扱いがしやすい。
【００１１】
さらに、請求項７にかかる発明は、上記筒体は、非磁性体であるとともに、上記磁性体は、上記筒体の外部に配設される構成としてある。
上記のように構成した請求項７の発明においては、非磁性体で形成された上記筒体の外部に上記磁性体が配設される。すなわち、上記筒体が非磁性体で形成されるため、内部に収容された上記柱状磁石から外部に配設された上記磁性部材の間に磁力線を走査させることができる。そうすると、上記筒体を流れる水の全てに磁力線を及ぼすことが可能となる。従って、活水処理が効率化する。
【００１２】
また、請求項８にかかる発明は、上記磁性体は、軸方向の両外側に入出水口を有する磁性筒体であるとともに、上記磁石柱は、当該磁性筒体に宙づり状に収容される構成としてある。
上記のように構成した請求項８にかかる発明においては、上記磁性体は、軸方向の両外側に入出水口を有する磁性筒体となる。さらに、上記磁性筒体の内部に上記磁石柱が宙づり状に収容される。すなわち、上記磁性体が上記筒体を兼ねることとなる。従って、部品点数を減少させることができる。
【００１３】
また、請求項９にかかる発明は、上記磁石柱、上記磁性板、上記磁性部材、上記入出水口および上記筒体は、軸方向から見て円形形状となっているとともに、その中心を一致させている構成としてある。
上記のように構成した請求項９にかかる発明においては、上記磁石柱、上記磁性板、上記磁性部材、上記筒体および上記入出水口の外郭が全て同心円状となる。すなわち、上記磁性部材と磁性板とが同心円状となっているため、磁性板の端面から上記磁性部材に向かって放射状に走査する磁力線の経路長が一定となって、磁力線が全方向均一となる。一方、磁性筒体と磁性板と磁石柱とが同心円状となっているため、水路幅が全方向均一となる。さらに、磁性筒体と入出水口とが同心円状となっているため、水勢が偏らない。従って、通過するすべての水に均等な効果を及すことができる。
【００１４】
また、請求項１０にかかる発明は、上記柱状磁石の軸方向端面には、略錘状部材が軸方向外側に向かって先細となる方向で取り付けられている構成としてある。
上記のように構成した請求項１０にかかる発明においては、略錘状部材の尖端を上記柱状磁石の軸方向外側に向けて、同柱状磁石に取り付けられる。すなわち、上記柱状磁石と上記略錘状部材とで、流線型をなすため水流が乱れることを防止して軸方向に対して平行な水流を維持するとともに、圧力損失を抑えることができる。
【００１５】
さらに、請求項１１にかかる発明は、上記磁石柱は、上記磁石柱の周囲に取り付けることで、上記磁性板と同径となる非磁性カバー部材が取り付けられる構成としてある。
上記のように構成した請求項１１にかかる発明においては、上記非磁性カバー部材を上記磁石柱の周囲に取り付けることにより、隣接する上記磁石柱と上記磁性板との径の差による段差がなくなる。すなわち、かかる段差によって発生する水の乱流を防止し、軸方向に対して平行な水流を維持するとともに、圧力損失を抑えることができる。
【００１６】
また、請求項１２にかかる発明は、上記柱状磁石は、同柱状磁石の軸方向出水口側端部にて上記筒体ないしは上記磁性筒体に宙づり状に片持ち支持されている構成としてある。
上記のように構成した請求項１２にかかる発明においては、上記柱状磁石を支持する支持体は、上記柱状磁石の軸方向出水口側端部にしか存在しないため、出水口付近までは支持体により水の乱流が発生することがない。従って、軸方向に対して平行な水流を維持するとともに、圧力損失を抑えることができる。
【００１７】
また、請求項１３にかかる発明は、上記磁性部材は、磁化している構成としてある。
すなわち、上記磁性部材と上記柱状磁石の磁性板の端面との間を走査する磁力線を強化することができるため、活水処理が効率化する。
【００１８】
【発明の効果】
以上説明したように本発明は、圧力損失の少ない活水処理装置を提供することができる。
さらに、請求項２にかかる発明によれば、効率のよい活水処理装置を提供することができる。
また、請求項３にかかる発明によれば、部品点数の少ない活水処理装置を提供することができる。
また、請求項４にかかる発明によれば、運搬時にかさばらない活水処理装置を提供することができる。
また、請求項５にかかる発明によれば、圧力損失の少ない活水処理装置を提供することができる。
また、請求項６にかかる発明によれば、取り扱いがしやすい活水処理装置を提供することができる。
また、請求項７にかかる発明によれば、圧力損失の少ない活水処理装置を提供することができる。
【００１９】
また、請求項８にかかる発明によれば、部品点数の少ない活水処理装置を提供することができる。
また、請求項９にかかる発明によれば、効果が均一な活水処理装置を提供することができる。
また、請求項１０にかかる発明によれば、圧力損失の少ない活水処理装置を提供することができる。
また、請求項１１にかかる発明によれば、圧力損失の少ない活水処理装置を提供することができる。
また、請求項１２にかかる発明によれば、圧力損失の少ない活水処理装置を提供することができる。
また、請求項１３にかかる発明によれば、効率のよい活水処理装置を提供することができる。
【００２０】
【発明の実施の形態】
以下、図面にもとづいて本発明の実施形態を説明することとし、次の順番で説明していく。
（１）磁力の及す効果について：
（２）第一の実施形態：
（３）第二の実施形態：
（４）第三の実施形態：
【００２１】
（１）磁力の及す効果について
水に磁気処理の効果として様々なものが知られているが、特に、進行性の赤錆の発生を抑制することができるため、水道管の閉塞、漏水、赤水の発生を未然に防止する目的で利用されている。
以下、磁気処理を行った水が水道管の閉塞、漏水、赤水の発生の発生を抑制するメカニズムを説明する。
【００２２】
水は極性を有しており、水流は耐電粒子の流動である。従って、この水流が磁場を通過すると電磁誘導により、誘導電圧が発生する。さらに、誘導電圧が発生すると同誘導電圧によって水は電気分解されて、原始的に原子状態の活性水素と活性酸素が発生することとなる。
【００２３】
このうち、活性酸素は、すぐに水と結合してＨ２Ｏ２を生成する。一方、非常に還元力が強い活性水素は、水道管壁に堆積した赤錆Ｆｅ２Ｏ３を還元して、四酸化三鉄Ｆｅ３Ｏ４を生成する。また、水中に含まれる鉄イオンに対しては、酸化の進行を防止する。ここで、赤錆Ｆｅ２Ｏ３は進行性の腐食生成物であるため、放置しておくと水道管壁面を浸食して漏水の原因ともなるし、それ自体が流出して赤水を発生させる原因ともなっている。一方、四酸化三鉄Ｆｅ３Ｏ４は非常に安定で酸化物であって、一度生成されると再び酸化されて赤錆Ｆｅ２Ｏ３を発生させることもない。さらに、水道管壁面に生成した四酸化三鉄Ｆｅ３Ｏ４は緻密な被膜を形成するため水道管を赤錆による浸食から保護する。
従って、磁気処理を行った水は、水道管の閉塞、漏水、赤水を防止することが可能となっている。なお、以下、上述した効果を単に活水効果と表記する。
【００２４】
ここで、上述した電磁誘導により発生する誘導電圧の大きさは、ファラデーの法則により、Ｅ（誘導電圧の大きさ）＝ｖ（水の速さ）×Ｂ（磁束密度の絶対値）×ｓｉｎθ（θは磁束密度と水の進行方向のなす角度）で表される。従って、一定の磁束密度の絶対値と水の速さのもとでは、〈ｓｉｎθ〉の値が１となるとき、最大の誘導電圧が得られることとなる。すなわち、磁束密度と水の進行方向が直角となるとき（θ＝９０°となるとき）に、最も高い活水効果が得られることとなる。
【００２５】
（２）第一の実施形態
図１は、本発明の第一の実施形態にかかる活水処理装置の外観を示した図である。同図において、磁性筒体１０は中央部分が太径となっており、両端には口径を細口とした円形の入出水口１１，１２を備えている。太径部分の内部はほぼ等径となっており、端部は徐々に口径が小さくなるように半球のドーム状となっている。上記入出水口１１は太径部の軸線に一致して形成されている。太径部分は中央で分割でき、開口端にはフランジ部１０ａを形成して互いに連結されている。また、太径部分の両端に形成した入出水口１１，１２の端部には、フランジ１１ａ，１２ａを形成してあり、他の水道管路と連結可能となっている。
【００２６】
図２は、本発明の第一の実施形態にかかる活水処理装置の内部を断面図により示している。同図において、柱状磁石１３は、磁性筒体１０の内部に非磁性体で形成された略棒状支持体１４によって宙づり状に支持されている。棒状支持体１４は、一端が磁性筒体１０の内壁に固定されているとともに、もう一端は柱状磁石１３に接合されており、磁性筒体１０を中心に放射状に配置されている。また、柱状磁石は１３は、底面と上面にそれぞれ磁極を有する円柱形状をした磁石柱１３ａが、互いに同極を向かい合わすように積層されている。さらに、隣接し合う磁石柱１３ａの間には、均等な厚みの円盤状の磁性板１３ｂが挟み込まれるように保持されている。なお、磁性板１３ｂの径は、柱状磁石１３ａの径より大きく形成されている。
【００２７】
図３は、第一の実施形態にかかる活水処理装置を図２で示したＡ−Ａ断面から見て示した図である。また、磁石柱１３ａ、磁性板１３ｂおよび磁性筒体１０は、全てその断面の中心を同一の軸線Ｘ１に一致させており、図３においては同心円状となっている。なお、同図において図示されない入出水口１１，１２の中心も同様に軸線Ｘ１に一致させている。
【００２８】
かかる構成により、柱状磁石１３の外周端面と磁性筒体１０の内壁との間隔は、全方向均一となっている。すなわち、軸線Ｘ１を中心として設けられた入水口１１から入水した水は、全方向均一に流動することとなる。また、出水口１２も同様に、軸線Ｘを中心として設けられているため、出水口１２付近においても水流が偏ることはない。一方、磁性筒体１０の内部には一本の柱状磁石１３が、棒状支持体１４により磁性筒体１０の内壁のいずれの部分とも接触せず支持されているため、流水経路は複雑とならず水を軸線Ｘ１と平行となる方向に進行させることができる。さらに、同様の理由により、水が本活水処理装置を通過する際の圧力の損失も少なくて済む。
【００２９】
一方、磁性板１３ｂの外縁は円周方向に突出するため、磁性板１３ｂの端面に磁力線を集中させることができる。従って、磁石柱は小型のものであっても、磁性板１３ｂの端面から発せられる磁束密度は大きいものとすることができる。ここで、磁性板１３ｂの端面から磁性筒体１０の内壁に向かって発せられる磁力線は、磁石柱１３ａと磁性板１３ｂと磁性筒体１０とが全て中心を軸線Ｘ１に一致させられているため、全方向経路長が同じとなって全方向に均等量発せられることとなる。また、太径部分の内壁は、ほぼ等径に形成されているため、磁性板１３ｂと軸方向同位置の磁性筒体１０の内壁部分が、磁性板１３ｂの端面から最短距離に位置する磁性体となるため、多くの磁力線が軸方向Ｘ１に対して垂直方向に発せられる。
【００３０】
ここで、上述により本活水処理装置の内部を流動する水が全方向均一かつ軸線Ｘ１に平行な方向に流動していることと、磁力線が全方向均一かつ軸方向Ｘ１に垂直に発せられていることにより、全ての水に対して均一な活水効果を与えることができるとともに、磁力線の方向と水流の方向が垂直となることにより、得られる誘導電圧を最大限として、効率良い活水効果与えることができる。
すなわち、本実施形態にかかる活水処理装置においては、活水効果を高いものとしつつ、圧力損失を抑えることが可能となっている。
【００３１】
なお、本実施形態は水道管を形成する筒体自体が磁性を有する構成としたが、同様の構成として、筒体を非磁性体のもので形成するとともに、同筒体の内壁面に沿うように磁性部材を筒状に配設するものとしてもよい。本構成においても、第一の実施形態と同様の磁力線および水流を得ることができるため、効率のよい活水処理を行うことが可能となる。
【００３２】
（２）第二の実施形態
図４は、本発明の第二の実施形態にかかる活水処理装置の断面を示した図である。なお、本実施形態の外観は第一の実施形態と同様となっている。図４において、第一の実施形態と同様に形成した柱状磁石１１３の軸方向両端には、それぞれ円錐状のキャップ１１３ｃ，１１３ｄが尖端が、柱状磁石１１３の軸方向先端となる方向で取り付けられている。また、外径が磁性板１１３ｂの径と同じであって、内径が磁石中１１３ｂと同径である略円筒状の合成樹脂製のカバー１１３ｅが、磁石柱１１３ａの周囲を取り囲むように取り付けられている。一方、柱状磁石１１３は、非磁性体で形成された棒状の支持体１１４により柱状磁石１１３の出水口側から片持ち支持されている。
【００３３】
かかる構成により、非磁性体カバー１１４部材を取り付けることにより、径の異なる磁石柱１１３ａと磁性板１１３ｂとで形成される段差がなくなる。また、先端にキャップ１１３ｃ，１１３ｄを取り付けることにより柱状磁石１１３は全体として流線形となるため、より水はスムーズに軸方向に対して平行に直進することとなる。従って、磁力線に対してより垂直な水流を確保できることで、より効率のよい活水効果を得ることができるとともに、より圧力損失を少ないものとすることができる。さらに、柱状磁石１１３を出水口側から片持ち支持しているため、磁力線を通過して活水効果を奏する部分を通過し終わるまでには、支持体により水流が乱されることがない。従って、発せられる磁力線に対して、より垂直な水流を確保することができるため、より活水処理が効率化する。
【００３４】
また、磁石柱１１３ａの周囲を合成樹脂製カバー１１３ｅが取り囲んで取り付けられることで、金属元素を多く含む磁石柱１１３ｅが水によって浸食されることを抑制することができるため、磁石柱１１３ａの磁力が劣化しにくい。
【００３５】
（３）第三の実施形態
図５は、本発明の第三の実施形態にかかる活水処理装置の外観を示した図である。同図において、筒体２１０の外観形状は、第一の実施形態の磁性筒体１０と同様となっているとともに、全体が銅で形成されている。また、図６は、図７で示した本実施形態にかかる活水処理装置のＢ−Ｂ断面を示している。同図において、８個の複数の帯状磁石２２０ａが連繋されて環状磁石２２０が形成されている。環状磁石２２０は、内径となる一方の磁極を筒体２１０に外接させつつ、外形となるもう一方の磁極が外向するようなっており、図５において示すように、複数の環状磁石２２０が軸方向に所定の間隔をもって配置固定されている。
【００３６】
図７は、本実施形態にかかる活水処理装置の軸方向の断面を示した図である。同図において、柱状磁石２１３の構成は、第一の実施形態における柱状磁石１３と同様となっている。ここで、各環状磁石２２０の軸方向の位置は、各磁性板２１３ｂと一致させているとともに、同位置に配設された各磁性板２１３ｂと環状磁石２２０の磁極は、それぞれ異極が対応するようにされている。
【００３７】
かかる構成により、磁力線は、銅製の筒体２１０を透過して、磁性板２１３ｂの端面と、対向する環状磁石２２０との間に走査することとなる。また、各環状磁石２２０の軸方向の位置は、各磁性板２１３ｂと一致させてあるため、この磁力線の方向は軸方向に垂直となる。すなわち、磁力線は、軸方向に平行な水流に対して垂直に横切ることとなる。従って、効率よく活水処理をすることが可能である。ここで、銅は比透磁率が１に近く磁力線を良く透過させるため、筒体２１０の材料として好適である。
【００３８】
（４）第三の実施形態
図８は、本発明の第四の実施形態にかかる活水処理装置の外観を斜めから見て示した図である。同図において、第一の実施形態と同様に柱状磁石３１３が形成されている。さらに、この柱状磁石３１３全体を所定の距離を隔てて周状に取り囲むように円筒磁性部材３２０が非磁性体で形成される支持体３１４を介して取り付けられている。また、円筒磁性部材３２０は、両端に連結部３２０ｂを有する複数の曲面状の磁性パネルを、当該連結部３２０ｂで互いに連結することにより形成されている。
【００３９】
かかる構成により、柱状磁石３１３の磁性板３１３ｂの端面と円筒磁性部材３２０との間に、軸方向に略垂直に磁力線を走査させることができる。従って、本実施形態にかかる活水処理装置を水流に対して軸方向が略平行となるように配置して使用すれば、効率よく活水効果を及ぼすことができる。その使用の態様として、例えば、これを第一〜第三の実施形態のように筒体の中に宙づり状に収容させてもよいし、全体を小型化にして、そのまま水道管や蛇口等に挿入するものとしてもよい。
【図面の簡単な説明】
【図１】本発明の第一の実施形態にかかる活水処理装置の外観を示す図である。
【図２】本発明の第一の実施形態にかかる活水処理装置の断面を示す図である。
【図３】本発明の第一の実施形態にかかる活水処理装置のＡ−Ａ断面を示す図である。
【図４】本発明の第二の実施形態にかかる活水処理装置の断面を示す図である。
【図５】本発明の第三の実施形態にかかる活水処理装置の外観を示す図である。
【図６】本発明の第三の実施形態にかかる活水処理装置のＢ−Ｂ断面を示す図である。
【図７】本発明の第三の実施形態にかかる活水処理装置の断面を示す図である。
【図８】本発明の第四の実施形態にかかる活水処理装置の外観を示した斜視図
【符号の説明】
１０，１１０，２１０…磁性筒体
１１，１２…入出水口
１３，１１３，２１３，３１３…柱状磁石
１３ａ，１１３ａ…磁石柱
１３ｂ，１１３ｂ，２１３ｂ，３１３ｂ…磁性板
２２０ａ…帯状磁石
２２０…環状磁石
３２０…円筒磁性部材
１１３ｅ…非磁性体カバー
Ｘ１，Ｘ２…軸線
【図１】
2004351374.tif 000003
【図２】
2004351374.tif 000004
【図３】
2004351374.tif 000005
【図４】
2004351374.tif 000006
【図５】
2004351374.tif 000007
【図６】
2004351374.tif 000008
【図７】
2004351374.tif 000009
【図８】
2004351374.tif 000010